(57)【要約】      （修正有）【課題】  割れや液体の漏れが生じることを防止できるルアー固定フィッティング接続構造を提供すること。【解決手段】  ルアー固定フィッティング接続構造を、雌側コネクター２１と雄側コネクター２２で構成した。そして、雄側コネクター２２に取り付けられたルアー固定フィッティング部材２８の内周面に形成された雌ねじ３４と雌側コネクター２１の外周面に形成された雄ねじ２５を螺合させることにより雄側コネクター２２と雌側コネクター２１とを接続可能にした。また、雌側コネクター２１の外周面における雄ねじ２５の基端側に係合突起２６を設け、ルアー固定フィッティング部材２８の内周面における雌ねじ３４の先端側に係合突起２６と係合可能な被係合部３５を設けた。そして、雄ねじ２５と雌ねじ３４とが適正状態で螺合したときに係合突起２６と被係合部３５とが係合するようにした。【選択図】  図９
2008005974.tif 000002
【特許請求の範囲】
【請求項１】
雄側コネクターに備わったルアー固定フィッティング部材の内周面に形成された雌ねじと雌側コネクターの外周面に形成された雄ねじとを螺合させることにより前記雄側コネクターと前記雌側コネクターとを接続するルアー固定フィッティング接続構造であって、
前記雌側コネクターの外面における前記雄ねじの基端側部分または先端側部分に係合部を設けるとともに、前記ルアー固定フィッティング部材の内面における前記雌ねじの先端側部分または基端側部分に前記係合部と係合可能な被係合部を設けて、前記雄ねじと前記雌ねじとが適正状態で螺合したときに、前記係合部と前記被係合部とが係合するようにしたことを特徴とするルアー固定フィッティング接続構造。
【請求項２】
前記係合部を前記雄ねじよりも外径の大きな略リング状に形成して、前記雌側コネクターの外周面における前記雄ねじの基端側部分に設け、前記被係合部を略リング状に形成して、前記ルアー固定フィッティング部材の内周面における前記雌ねじの先端側部分に設けた請求項１に記載のルアー固定フィッティング接続構造。
【請求項３】
前記ルアー固定フィッティング部材の先端開口部の周縁部に複数の切欠き部を間隔を保って設けて、前記先端開口部を外周側に向けて拡張可能にした請求項２に記載のルアー固定フィッティング接続構造。
【請求項４】
前記係合部を前記雄ねじよりも外径の小さな略リング状に形成して、前記雌側コネクターの外面における前記雄ねじの先端側部分に設け、前記被係合部を略リング状に形成して、前記ルアー固定フィッティング部材の内面における前記雌ねじの基端側部分に設けた請求項１に記載のルアー固定フィッティング接続構造。
【請求項５】
前記雄側コネクターの本体を、前記ルアー固定フィッティング部材が取り付けられる連結部本体と前記雌側コネクター内に挿入可能なルアー部とからなる連結部で構成し、前記連結部本体と前記ルアー部とを可撓性を有する連結部材で連結した請求項１ないし４のうちのいずれか一つに記載のルアー固定フィッティング接続構造。
【発明の詳細な説明】
【技術分野】
【０００１】
本発明は、雄側コネクターと雌側コネクターとを接続するためのルアー固定フィッティング接続構造に関する。
【背景技術】
【０００２】
従来から、患者に対して薬液や血液等の液体を、チューブを備えた輸液ラインまたは輸血ラインを用いて供給することが行われている。このような場合に、輸液ライン等を構成する各チューブを接続するためのルアー固定フィッティング接続構造が用いられている（例えば、特許文献１参照）。この医療用接続器具（ルアー固定フィッティング接続構造）は、互いに接続されるそれぞれチューブの端部に接続された雄型接続具と、雌型接続具とを備えている。
【０００３】
そして、雄型接続具は先端部がルアーテーパ状の外壁をした連通パイプと、連通パイプを取り囲む外側キャップで構成され、雌型接続具は、外側キャップ内に挿入可能な筒状体で構成され、その内部に連通パイプが嵌合可能になっている。また、外側キャップの内壁にはネジ条が形成され、雌型接続具の外壁には外側キャップのネジ条と係合するネジ条が形成されている。このため、連通パイプを雌型接続具内に嵌合させた状態で、外側キャップを旋回しながらネジ条どうしを螺合させることにより、雄型接続具と、雌型接続具とを接続することができる。
【特許文献１】特開平５―３１１８０号公報
【発明の開示】
【０００４】
しかしながら、前述した従来の医療用接続器具では、ネジ条どうしを強く締め過ぎると雌型接続具に割れが生じて液体が漏出する原因となり、緩く締めると雄型接続具と雌型接続具との接続が外れたり、雄型接続具と雌型接続具との接続が緩み、両者間に隙間が生じて内部を流れる液体が漏れることがある。
【０００５】
本発明はこのような事情に鑑みなされたもので、その目的は、割れや液体の漏れが生じることを防止できるルアー固定フィッティング接続構造を提供することにある。
【０００６】
前述した目的を達成するため、本発明に係るルアー固定フィッティング接続構造の構成上の特徴は、雄側コネクターに備わったルアー固定フィッティング部材の内周面に形成された雌ねじと雌側コネクターの外周面に形成された雄ねじとを螺合させることにより雄側コネクターと雌側コネクターとを接続するルアー固定フィッティング接続構造であって、雌側コネクターの外面における雄ねじの基端側部分または先端側部分に係合部を設けるとともに、ルアー固定フィッティング部材の内面における雌ねじの先端側部分または基端側部分に係合部と係合可能な被係合部を設けて、雄ねじと雌ねじとが適正状態で螺合したときに、係合部と被係合部とが係合するようにしたことにある。
【０００７】
前述したように構成した本発明に係るルアー固定フィッティング接続構造では、雄ねじと雌ねじとを螺合させることにより雄側コネクターと雌側コネクターとを接続することができ、その雄ねじと雌ねじとの螺合の状態が適正になったときに、雌側コネクターの外面に設けられた係合部とルアー固定フィッティング部材の内面に設けられた被係合部とが係合する。したがって、雄ねじと雌ねじとが強く締め付けられて雌側コネクターまたはルアー固定フィッティング部材に割れが生じたり、雄ねじと雌ねじとの締め付けが緩すぎてルアー固定フィッティング部材と雌側コネクターとの間に隙間ができこの隙間から薬液の漏れが生じたりすることがなくなる。
【０００８】
なお、この場合の適正状態で螺合とは、雄ねじと雌ねじとの締め付け具合が強過ぎも弱過ぎもせず適度な強さになっており、かつ漏れも生じない状態である。また、係合部と被係合部は、ともに突起で構成して、一方の突起が他方の突起を乗り越えたときに係合するようにしてもよいし、一方を突起で構成し他方を溝等の凹部で構成してもよい。さらに、雌側コネクターの外面とは外周面以外の外側の面も含むものであり、ルアー固定フィッティング部材の内面とは内周面以外の内側の面も含むものである。
【０００９】
また、本発明に係るルアー固定フィッティング接続構造の他の構成上の特徴は、係合部を雄ねじよりも外径の大きな略リング状に形成して、雌側コネクターの外周面における雄ねじの基端側部分に設け、被係合部を略リング状に形成して、ルアー固定フィッティング部材の内周面における雌ねじの先端側部分に設けたことにある。
【００１０】
この場合の雌側コネクターに設けられた雄ねじの基端側部分とは、雌側コネクターに接続されるチューブ側部分であり、ルアー固定フィッティング部材に設けられた雌ねじの先端側部分とは、ルアー固定フィッティング部材の開口部側部分である。また、被係合部は凹部で構成しても突起で構成してもよいが、凹部で構成した場合には、凹部からなる被係合部の直径は係合部の外径に略等しい大きさになるため、雄ねじと雌ねじとを螺合させる際に、雄ねじが被係合部に当接することがなくなり、雌側コネクターとルアー固定フィッティング部材とをスムーズに接続することができる。被係合部を突起で構成する場合には、雄ねじと雌ねじとを螺合させる際に、突起からなる被係合部が、雌側コネクターの雄ねじに接触しないようにしておく。
【００１１】
また、本発明に係るルアー固定フィッティング接続構造のさらに他の構成上の特徴は、ルアー固定フィッティング部材の先端開口部の周縁部に複数の切欠き部を間隔を保って設けて、先端開口部を外周側に向けて拡張可能にしたことにある。これによると、係合部の外径が大きく設定されていても、ルアー固定フィッティング部材を破損させることなく、ルアー固定フィッティング部材と雌側コネクターとを接続することができる。
【００１２】
また、本発明に係るルアー固定フィッティング接続構造のさらに他の構成上の特徴は、係合部を雄ねじよりも外径の小さな略リング状に形成して、雌側コネクターの外面における雄ねじの先端側部分に設け、被係合部を略リング状に形成して、ルアー固定フィッティング部材の内面における雌ねじの基端側部分に設けたことにある。これによっても、ルアー固定フィッティング部材と雌側コネクターとを適正状態で接続することができる。なお、この場合の係合部は、雌側コネクターの外周面に設けてもよいし、雌側コネクターの先端面に設けてもよい。そして、係合部を雌側コネクターの先端面に設ける場合には、雌側コネクターの内部奥側に端面または段部を形成してその奥端面または段部に被係合部を設けることができる。
【００１３】
また、本発明に係るルアー固定フィッティング接続構造のさらに他の構成上の特徴は、雄側コネクターの本体を、ルアー固定フィッティング部材が取り付けられる連結部本体と雌側コネクター内に挿入可能なルアー部とからなる連結部で構成し、連結部本体とルアー部とを可撓性を有する連結部材で連結したことにある。
【００１４】
これによると、ルアー固定フィッティング部材の内周面に形成された雌ねじと雌側コネクターの外周面に形成された雄ねじとを螺合させるときに、ルアー部の中心軸と雌側コネクターの中心軸とが多少ずれていても、ルアー部が撓みながら雌側コネクター内に入っていく。このため、雌側コネクターとルアー部との間に多少の寸法誤差が生じていても雄側コネクターと雌側コネクターとは適正状態で接続される。また、破損も生じにくくなる。なお、この場合の可撓性を有する連結部材としては、軟質材料からなる円筒体や蛇腹状の部材等、付勢力を備え、伸縮可能でかつ液体を外部に漏れ出させない部材を用いることが好ましい。
【発明を実施するための最良の形態】
【００１５】
（第１実施形態）
以下、本発明の第１実施形態に係るルアー固定フィッティング接続構造を図面を用いて詳しく説明する。図１は、同実施形態に係るルアー固定フィッティング接続構造２０を備えた輸液ラインセット１０を示している。この輸液ラインセット１０は、患者の体に薬液等を供給するためのものであり、点滴筒１１、ローラクランプ１２、三方活栓１３等を備えている。点滴筒１１は、内部に薬液等を一時的に溜めるとともにその薬液等を所定量ずつチューブ１４を介してローラクランプ１２に送る。ローラクランプ１２は、チューブ１４内を流れる薬液等の流量を調整するために用いられる。
【００１６】
また、三方活栓１３は、点滴筒１１から送られる薬液を下流側に流したりその流れを停止させたりするために用いられるとともに、他の薬液を輸液ラインセット１０内に注入するために用いられる。すなわち、三方活栓１３は３つの流路を備えており、二つの流路で点滴筒１１から送られる薬液を下流側に流し、もう一つの流路を介して内部に他の薬液を注入することができる。そして、この三方活栓１３の下流側にチューブ１５，１６を介して、ルアー固定フィッティング接続構造２０が設けられている。ルアー固定フィッティング接続構造２０は、チューブ１６の先端部に取り付けられた雌側コネクター２１と、チューブ１７の先端部に取り付けられた雄側コネクター２２とで構成されている。
【００１７】
雌側コネクター２１は、図２ないし図４に示したように、円筒状に形成されたコネクター本体２３と、コネクター本体２３の後端部（基端部）から後方に延びる円筒状の接続部２４とで構成されている。そして、コネクター本体２３の外周面における先端部から中央側にかけて雄ねじ２５が設けられ、雄ねじ２５の基端部から僅かな間隔を保ってコネクター本体２３の外周面における軸方向に沿った略中央に円周に沿ったリング状の係合突起２６が形成されている。この係合突起２６の外径は、雄ねじ２５の外径よりもやや大きく設定されている。
【００１８】
また、コネクター本体２３の内周面２３ａは、開口側の直径が大きく奥側に行くほど直径が小さくなった緩やかなテーパ状に形成されている。そして、コネクター本体２３の内周面における後部側からコネクター本体２３よりも直径が小さく設定された接続部２４が後方に向って延びている。コネクター本体２３の基端部の内周面と接続部２４のコネクター本体２３側部分の外周面との間には隙間２４ａが形成されており、この隙間２４ａにチューブ１６の先端部を係合させることにより、雌側コネクター２１は、チューブ１６に連結されている。すなわち、接続部２４はチューブ１６の内部に入り込み、コネクター本体２３の基端部はチューブ１６の先端部を内部に入れた状態で接続部２４とで挟んで固定している。
【００１９】
雄側コネクター２２は、図４ないし図６に示したように、略円筒状に形成された連結部２７と、連結部２７の外周側に取り付けられ連結部２７に対して軸周り方向に回転可能になったルアー固定フィッティング部材２８とで構成されている。連結部２７は、円筒状に形成された連結部本体３１と、連結部本体３１の先端部から先方に延びるルアー部３２と、連結部本体３１の基端部から後方に延びる円筒状の接続部３３とで構成されている。ルアー部３２の外周面は、基端側の直径が大きく先端側に行くほど直径が小さくなった緩やかなテーパ面に形成されており、コネクター本体２３の内周面２３ａに嵌合可能になっている。
【００２０】
そして、ルアー部３２がコネクター本体２３に嵌合することにより、雌側コネクター２１と雄側コネクター２２とが連通する。また、連結部本体３１は、ルアー部３２よりも大径に形成され連結部本体３１におけるルアー部３２側部分には急傾斜のテーパ部が形成されている。また、この連結部本体３１の軸方向に沿った中央側部分は両側部分よりも外径が小さく設定された凹部３１ａに形成されている。そして、連結部本体３１の後部側から接続部３３が後方に向って延びている。接続部３３は、内径が連結部本体３１やルアー部３２と同じに設定され、外径がルアー部３２と略等しい大きさ（テーパは設けられていない）に設定されている。
【００２１】
したがって、接続部３３の外径は連結部本体３１の外径よりも小さく設定されている。そして、連結部本体３１の基端部の内周面と接続部３３の連結部本体３１側部分の外周面との間には隙間３３ａが形成されており、この隙間３３ａにチューブ１７の先端部を係合させることにより、雄側コネクター２２は、チューブ１７に連結されている。すなわち、接続部３３はチューブ１７の内部に入り込み、連結部本体３１の基端部はチューブ１７の先端部を内部に入れた状態で接続部３３とで挟んで固定している。
【００２２】
ルアー固定フィッティング部材２８は、内部に雌側コネクター２１の先端側部分を収容できる略円筒状に形成されており、基端部２８ａ側が細径になっている。すなわち、ルアー固定フィッティング部材２８は、ルアー部３２との間に雌側コネクター２１の先端側部分を入れることにできる大きさに設定され、その基端部２８ａは、連結部本体３１の凹部３１ａに摺動可能な状態で係合している。このため、ルアー固定フィッティング部材２８は、連結部２７に対して軸周り方向に回転可能になっているとともに、連結部２７の軸方向に移動可能になっている。
【００２３】
また、ルアー固定フィッティング部材２８の内周面における先端部から所定距離を保った部分から軸方向における中央側部分にかけて、雌側コネクター２１の雄ねじ２５と螺合可能な雌ねじ３４が形成されている。そして、ルアー固定フィッティング部材２８の内周面における雌ねじ３４の先端側部分に、雌側コネクター２１の係合突起２６と係合可能な被係合部３５が形成されている。この被係合部３５は、ルアー固定フィッティング部材２８の内周面における先端部に設けられた突部３５ａと、突部３５ａと雌ねじ３４の先端部との間に設けられた溝部３５ｂとで構成されている。
【００２４】
係合突起２６は、突部３５ａを乗り越えたときに溝部３５ｂと係合して、雌側コネクター２１と雄側コネクター２２とを連結する。また、この係合突起２６と被係合部３５とは、雄ねじ２５と雌ねじ３４とが適度な状態（螺合状態が強すぎることがなく液漏れが生じない状態）で螺合したときに係合するように構成されており、係合突起２６と被係合部３５とが係合すると、雄ねじ２５と雌ねじ３４はそれ以上強く螺合できないように構成されている。
【００２５】
そして、ルアー固定フィッティング部材２８の外周面には、円周方向に一定間隔を保って、軸方向に延びる滑り止め用の突条３６が形成されている。また、チューブ１５はチューブ１６の中間部にＴ字状に接続されており、チューブ１６の他端部にも雌側コネクター１８が設けられている。この雌側コネクター１８にも他の雄側コネクターを連結することができるが、この場合、雌側コネクター１８は閉塞されている。
【００２６】
このように構成されたルアー固定フィッティング接続構造２０における雌側コネクター２１と雄側コネクター２２とを連結する場合には、まず、図４および図７に示したように、雌側コネクター２１の先端開口と雄側コネクター２２の先端開口とを対向させて接近させる。ついで、雄側コネクター２２のルアー部３２を、雌側コネクター２１の内部に位置させて雄ねじ２５と雌ねじ３４とを接触させたのちに、ルアー固定フィッティング部材２８を所定の軸周り方向に回転させることにより、図８に示したように、雄ねじ２５と雌ねじ３４とを螺合させていく。
【００２７】
そして、さらにルアー固定フィッティング部材２８を回転させて、雄ねじ２５と雌ねじ３４との螺合が適度な状態になると、図９に示したように、雌側コネクター２１の係合突起２６と雄側コネクター２２の被係合部３５とが係合する。これによって、雌側コネクター２１と雄側コネクター２２とは、液漏れが生じない適度な連結状態で連通する。また、この場合、雌側コネクター２１の係合突起２６は、被係合部３５の突部３５ａによって、雄側コネクター２２に対して後退することを防止される。このため、雄ねじ２５と雌ねじ３４との螺合が緩むことはなく、雄ねじ２５と雌ねじ３４とは適度な螺合状態を維持する。
【００２８】
そして、輸液ラインセット１０を使用する場合には、チューブ１７の下流端を患者の体に穿刺して留置する留置針等の穿刺部材（図示せず）に接続する。つぎに、点滴筒１１から各チューブ１４，１５，１６，１７内に薬液を流し、チューブ１４等内の空気を外部に放出したのちに、ローラクランプ１２を調節して薬液の流れを停止させる。その状態で、患者の体における所定の部位に穿刺部材を穿刺して、ローラクランプ１２を調節して、チューブ１４等内を流れる薬液の流量が適正量になるようにする。これによって、点滴筒１１から患者の体内に、設定された一定流量の薬液が供給される。
【００２９】
以上のように、本実施形態に係るルアー固定フィッティング接続構造２０は、雌側コネクター２１と雄側コネクター２２とを接続するための雄ねじ２５と雌ねじ３４との螺合状態が適正になったときに、雌側コネクター２１の外周面に設けられた係合突起２６とルアー固定フィッティング部材２８の内周面に設けられた被係合部３５とが係合するように構成されている。したがって、雄ねじ２５と雌ねじ３４とが強く締め付けられて雌側コネクター２１またはルアー固定フィッティング部材２８に割れが生じたり、雄ねじ２５と雌ねじ３４との締め付けが緩すぎて雌側コネクター２１とルアー固定フィッティング部材２８との間に隙間ができて薬液の漏れが生じたりすることがなくなる。
【００３０】
（第２実施形態）
図１０および図１１は、本発明の第２実施形態に係るルアー固定フィッティング接続構造４０（図１２および図１３参照）が備える雄側コネクター４２を示している。この雄側コネクター４２では、ルアー固定フィッティング部材４８の開口縁部に円周方向に一定間隔を保って４個の同形の切欠き部４１が形成されている。この切欠き部４１は、それぞれルアー固定フィッティング部材４８の内面から外面に貫通した状態で、図１３に示したように、ルアー固定フィッティング部材４８の開口縁部から被係合部４５が形成された部分まで延びている。
【００３１】
この切欠き部４１を設けることによって、ルアー固定フィッティング部材４８の開口部は、外周側に拡張可能になっている。すなわち、ルアー固定フィッティング部材４８は弾性を有しており、開口部に直径を大きくするような力が加わると、その力に応じて開口部が広がるように構成されている。この雄側コネクター４２を備えたルアー固定フィッティング接続構造４０のそれ以外の部分の構成については、前述したルアー固定フィッティング接続構造２０と同一である。したがって、同一部分に同一符号を記して説明は省略する。
【００３２】
このように構成したため、係合突起２６の外径が多少大きく設定されていても、ルアー固定フィッティング部材４８を破損させることなく、ルアー固定フィッティング部材４８と雌側コネクター２１とを接続することができる。このルアー固定フィッティング接続構造４０におけるそれ以外の作用効果については、前述したルアー固定フィッティング接続構造２０と同様である。
【００３３】
（第３実施形態）
また、図示していないが、本発明の第３実施形態として、係合部を雄ねじよりも外径が小さく、かつ雄ねじと雌ねじを螺合させる際にルアー固定フィッティング部材の雌ねじに接触しない略リング状に形成して、雌側コネクターの先端部分に設け、被係合部を略リング状の凹部に形成して、ルアー固定フィッティング部材の奥端面に設けることもできる。これによっても、雄側コネクターと雌側コネクターとを適正状態で接続することができる。
【００３４】
（第４実施形態）
また、図１４は、本発明の第４実施形態に係るルアー固定フィッティング接続構造５０を示している。このルアー固定フィッティング接続構造５０では、連結部５７を構成する連結部本体５１と、ルアー部５２とが、可撓性および伸縮性を備えた円筒状の連結部材部５３で連結されている。このルアー固定フィッティング接続構造５０のそれ以外の部分の構成については、前述したルアー固定フィッティング接続構造２０と同一である。したがって、同一部分に同一符号を記して説明は省略する。
【００３５】
このように構成したため、ルアー固定フィッティング部材２８の雌ねじ３４と雌側コネクター２１の雄ねじ２５とを螺合させるときに、ルアー部５２の中心軸と雌側コネクター２１の中心軸とが多少ずれていても、ルアー部５２が撓みながら雌側コネクター２１内に入っていく。このため、雌側コネクター２１とルアー部５２との間に多少の寸法誤差が生じていても雄側コネクター２２と雌側コネクター２１とは適正状態で接続される。また、雄側コネクター２２と雌側コネクター２１との長手方向の寸法にばらつきが生じていても連結部材５３によって雄側コネクター２２と雌側コネクター２１とは適正状態で接続される。さらに、ルアー部５２の破損も生じにくくなる。
【００３６】
また、本発明に係るルアー固定フィッティング接続構造は、前述した各実施形態に限定するものでなく、適宜変更して実施することができる。例えば、前述した実施形態では、ルアー固定フィッティング接続構造を点滴筒１１を備えた輸液ラインセット１０に設けているが、このルアー固定フィッティング接続構造は、輸液ラインの他、輸血ラインやその他の目的で使用される各チューブ部材を接続するためにも利用することができる。
【００３７】
また、前述した実施形態では、被係合部を突部と溝部とで構成しているが、この被係合部は、突部または溝部だけで構成してもよい。また、被係合部を突部だけで構成する場合には、係合部が被係合部を乗り越えたときに係合部と被係合部とが係合するようにしてもよいし、係合部が被係合部に当接したときに被係合部がストッパとなって係合部と被係合部とが係合するようにしてもよい。さらに、係合部や被係合部はリング状に限らず、長さの短い突起や凹部で構成してもよい。また、本発明に係るルアー固定フィッティング接続構造のそれ以外の部分の構成についても、本発明の技術的範囲で適宜変更することができる。
【図面の簡単な説明】
【００３８】
【図１】本発明の第１実施形態に係るルアー固定フィッティング接続構造を備える輸液ラインセットを示した構成図である。
【図２】雌側コネクターを示した側面図である。
【図３】雌側コネクターを示した背面図である。
【図４】雌側コネクターと雄側コネクターとを接続する前のルアー固定フィッティング接続構造を示した断面図である。
【図５】雄側コネクターを示した側面図である。
【図６】雄側コネクターを示した正面図である。
【図７】雌側コネクターと雄側コネクターとを接続する前のルアー固定フィッティング接続構造を示した側面図である。
【図８】雌側コネクターと雄側コネクターとを接続する状態を示した断面図である。
【図９】雌側コネクターと雄側コネクターとを接続した状態を示した断面図である。
【図１０】本発明の第２実施形態に係るルアー固定フィッティング接続構造が備える雄側コネクターを示した側面図である。
【図１１】図１０に示した雄側コネクターの正面図である。
【図１２】雌側コネクターと雄側コネクターとを接続する前のルアー固定フィッティング接続構造を示した側面図である。
【図１３】雌側コネクターと雄側コネクターとを接続する前のルアー固定フィッティング接続構造を示した断面図である。
【図１４】本発明の第４実施形態に係るルアー固定フィッティング接続構造を示した断面図である。
【符号の説明】
【００３９】
２０，４０，５０…ルアー固定フィッティング接続構造、２１…雌側コネクター、２２，４２…雄側コネクター、２５…雄ねじ、２６…係合突起、２７…連結部、２８，４８…ルアー固定フィッティング部材、３４…雌ねじ、３５，４５…被係合部、３５ａ…突部、３５ｂ…溝部、４１…切欠き部、５１…連結部本体、５２…ルアー部、５３…連結部材部。
【図１】
2008005974.tif 000003
【図２】
2008005974.tif 000004
【図３】
2008005974.tif 000005
【図４】
2008005974.tif 000006
【図５】
2008005974.tif 000007
【図６】
2008005974.tif 000008
【図７】
2008005974.tif 000009
【図８】
2008005974.tif 000010
【図９】
2008005974.tif 000011
【図１０】
2008005974.tif 000012
【図１１】
2008005974.tif 000013
【図１２】
2008005974.tif 000014
【図１３】
2008005974.tif 000015
【図１４】
2008005974.tif 000016